(57)【要約】【課題】錠剤と粉薬のどちらの飲み薬にも対応でき、寝たままの姿勢を余儀なくされる体が不自由な人などでも、飲み薬を適切に服用できる飲み薬の投薬用容器を提供すること。【解決手段】上面が開放されたカップ状に設けられた容器本体１０と、容器本体１０の上面を覆うように取り外し自在に嵌められ、薬を保持できて一方の周縁に向かって次第に浅くなる浅底の凹部２２を備えると共に、凹部２２の最も浅い部位に相当する部分が切り欠かれて容器本体１０の上面の一部を開口する水の流出口１５が形成されるように設けられた切り欠き部２５を備える中容器２０と、中容器２０及び容器本体１０の上面を覆い、容器を傾けた際に中容器２０によって保持された飲み薬と容器本体１０内にある水とを実質的に同時に排出することができるように、水の流出口１５の位置と同じ周縁の一方側に位置可能な飲み口３２が設けられた蓋体３０とを具備する。【選択図】図２
2010022608.tif 000002
【特許請求の範囲】
【請求項１】
一つの全体容器内に別々に入っている飲み薬と水とを該容器を傾けることで実質的に同時に飲むことが可能な飲み薬の投薬用容器であって、
上面が開放されたカップ状に設けられた容器本体と、
該容器本体の上面を覆うように取り外し自在に嵌められ、薬を保持できて一方の周縁に向かって次第に浅くなる浅底の凹部を備えると共に、該凹部の最も浅い部位に相当する部分が切り欠かれて前記容器本体の上面の一部を開口する水の流出口が形成されるように設けられた切り欠き部を備える中容器と、
該中容器及び前記容器本体の上面を取り外し自在に嵌って覆い、容器を傾けた際に前記中容器によって保持された飲み薬と前記容器本体内にある水とを実質的に同時に排出することができるように、前記水の流出口の位置と同じ周縁の一方側に位置可能な飲み口が設けられた蓋体とを具備し、
前記容器本体と、前記中容器及び前記蓋体には、前記切り欠き部と前記飲み口との位置合わせのための被係合部と係合部とが相対的に設けられていることを特徴とする飲み薬の投薬用容器。
【請求項２】
前記容器本体の底部等の上面を除く部位に他の貯水容器と接続できる接続口が設けられたことを特徴とする請求項１記載の飲み薬の投薬用容器。
【請求項３】
前記接続口が、雌ネジ状に設けられ、ペットボトル等の他の貯水容器の雄ネジ状の注ぎ口にねじ込むことで、他の貯水容器と接続されることを特徴とする請求項２記載の飲み薬の投薬用容器。
【請求項４】
前記接続口が、前記容器本体の底部であって、前記切り欠き部と前記飲み口が位置合わせされる周縁側とは反対側の部位に設けられていることを特徴とする請求項２又は３記載の飲み薬の投薬用容器。
【請求項５】
前記容器本体の内周面の少なくとも前記切り欠き部と前記飲み口が位置合わせされる周縁側が、前記飲み口に向かって水が排出され易いように斜面に設けられていることを特徴とする請求項１〜４のいずれかに記載の飲み薬の投薬用容器。
【発明の詳細な説明】
【技術分野】
【０００１】
この発明は、一つの全体容器内に別々に入っている飲み薬と水とを該容器を傾けることで実質的に同時に飲むことができる飲み薬の投薬用容器に関する。
【背景技術】
【０００２】
飲み薬を服用する際には、錠剤でも粉薬であっても、先ず飲み薬を口の中に入れて、その後で水（冷水や温水（白湯）を含む）を口の中へ流し入れて飲み込んでいる。
しかし、子供や体が不自由な人の場合、飲み薬を適切に口に運ぶことが難しいことがある。特に、寝たきりの人の場合、寝たままの姿勢でも飲み薬を適切に服用できることが望まれている。また、一般の人にあっても、飲み薬が先に口の中に入るため、その薬の味を不快に感じる場合がある。さらに、飲み薬と水とが適切に混ざらず、飲みにくい場合もある。
【０００３】
これに対して、錠剤の薬を飲む時に、より確実且つ容易に服用できるコップとして、任意の容器の内側の上部に網状のフィルター壁を設けた錠剤服用コップが提案されている（特許文献１参照）。
【特許文献１】特開平２００４−１４８０７８号公報（要約、第１図）
【発明の開示】
【発明が解決しようとする課題】
【０００４】
飲み薬の投薬用容器に関して解決しようとする問題点は、特許文献１の錠剤服用コップでは錠剤を服用し易くなるものの、水が横にこぼれ易く、寝たままの姿勢では飲み薬を適切に服用できない点にある。また、特許文献１の錠剤服用コップでは粉薬の服用については想定されていない。
【０００５】
そこで本発明の目的は、錠剤と粉薬のどちらの飲み薬にも対応でき、寝たままの姿勢を余儀なくされる体が不自由な人などでも、飲み薬を適切に服用できる飲み薬の投薬用容器を提供することにある。
【課題を解決するための手段】
【０００６】
本発明は、上記目的を達成するために次の構成を備える。
本発明に係る飲み薬の投薬用容器の一形態によれば、一つの全体容器内に別々に入っている飲み薬と水とを該容器を傾けることで実質的に同時に飲むことが可能な飲み薬の投薬用容器であって、上面が開放されたカップ状に設けられた容器本体と、該容器本体の上面を覆うように取り外し自在に嵌められ、薬を保持できて一方の周縁に向かって次第に浅くなる浅底の凹部を備えると共に、該凹部の最も浅い部位に相当する部分が切り欠かれて前記容器本体の上面の一部を開口する水の流出口が形成されるように設けられた切り欠き部を備える中容器と、該中容器及び前記容器本体の上面を取り外し自在に嵌って覆い、容器を傾けた際に前記中容器によって保持された飲み薬と前記容器本体内にある水とを実質的に同時に排出することができるように、前記水の流出口の位置と同じ周縁の一方側に位置可能な飲み口が設けられた蓋体とを具備し、前記容器本体と、前記中容器及び前記蓋体には、前記切り欠き部と前記飲み口との位置合わせのための被係合部と係合部とが相対的に設けられている。
【０００７】
また、本発明に係る飲み薬の投薬用容器の一形態によれば、前記容器本体の底部等の上面を除く部位に他の貯水容器と接続できる接続口が設けられたことを特徴とすることができる。
また、本発明に係る飲み薬の投薬用容器の一形態によれば、前記接続口が、雌ネジ状に設けられ、ペットボトル等の他の貯水容器の雄ネジ状の注ぎ口にねじ込むことで、他の貯水容器と接続されることを特徴とすることができる。
また、本発明に係る飲み薬の投薬用容器の一形態によれば、前記接続口が、前記容器本体の底部であって、前記切り欠き部と前記飲み口が位置合わせされる周縁側とは反対側の部位に設けられていることを特徴とすることができる。
【０００８】
また、本発明に係る飲み薬の投薬用容器の一形態によれば、前記容器本体の内周面の少なくとも前記切り欠き部と前記飲み口が位置合わせされる周縁側が、前記飲み口に向かって水が排出され易いように斜面に設けられていることを特徴とすることができる。
【発明の効果】
【０００９】
本発明に係る飲み薬の投薬用容器によれば、錠剤と粉薬のどちらの飲み薬にも対応でき、寝たままの姿勢を余儀なくされる体が不自由な人などでも、飲み薬を適切に服用できるという特別有利な効果を奏する。
【発明を実施するための最良の形態】
【００１０】
以下、本発明に係る飲み薬の投薬用容器の形態例を図１〜５に基づいて詳細に説明する。
図１は本発明に係る飲み薬の投薬用容器の第１の形態例を示す斜視図であり、図２はその形態例の断面図である。また、図３〜５は本発明に係る飲み薬の投薬用容器の他の形態例を示す断面図である。
これらは、錠剤や粉薬の飲み薬を服用する際に用いられる容器であって、一つの全体容器内に別々に入っている飲み薬６０（図２参照）と水７０（図２参照）とをその容器を傾けることで実質的に同時に飲むことが可能な飲み薬の投薬用容器である。
【００１１】
１０は容器本体であり、図１及び２に示すように、上面が開放されたカップ状に設けられている。本形態例では、プラスチックで好適に成形できるように、型抜きのテーパが設けられた概略円筒形状の側周壁部１１と、一体的に形成された底部１２とから構成されている。
【００１２】
２０は中容器であり、容器本体１０の上面を覆うように取り外し自在に嵌められ、薬を保持できて一方の周縁に向かって次第に浅くなる浅底の凹部２２を備える。この中容器２０は、容器本体１０の内側上部で内周壁面に設けられた段部１３に、フランジ状の周縁部２３が下から支持されることで、容器本体１０の上面の内側に嵌められている。また、容器本体１０の内側上部に設けられた突起１４（図２参照）によって、中容器２０が持ち上がることを阻止するように規制される。
また、この中容器は、凹部２２の最も浅い部位に相当する部分が切り欠かれて容器本体１０の上面の一部を開口する水の流出口１５が形成されるように設けられた切り欠き部２５を備える。本形態例の水の流出口１５は、容器本体１０の内周面と切り欠き部２５の間において、概略円弧状に設けられている。
【００１３】
なお、本形態例の中容器２０の全体形状は、錠剤や粉薬を受けて保持できる凹状に設けられているが、飲み薬の投出口（切り欠き部２５側）近傍の内面における両内側面から底面にかけての部分が凸面に形成されている。これにより、飲み薬がスムーズに流れ出ることができる。
【００１４】
３０は蓋体であり、中容器２０及び容器本体１０の上面を取り外し自在に嵌って覆い、容器を傾けた際に中容器２０によって保持された飲み薬と容器本体１０内にある水とを実質的に同時に排出することができるように、水の流出口１５の位置と同じ周縁の一方側に位置可能な飲み口３２が設けられている。つまり、飲み口３２が、中容器２０の薬の投出口（切り欠き部２５側）と重なるように、蓋体３０において一方に偏った位置に設けられている。
なお、本形態例の飲み口３２は、漏斗状に絞られて上方へ突起した形態になっている。また、本形態例の蓋体３０は、容器本体１０の上端周縁に外嵌することで、その容器本体１０の上面を全体的に覆う形状となっている。
【００１５】
この中容器２０を備える飲み薬の投薬用容器によれば、飲み口３２に口を当て傾けることで、中容器２０に入れた飲み薬を容器本体１０内の水と共に飲むことができる。このため、様々な事情で薬をうまく飲めない人にとって、有効な補助具となっている。
【００１６】
そして、容器本体１０と、中容器２０及び蓋体３０には、切り欠き部２５と飲み口３２との位置合わせのための被係合部と係合部とが相対的に設けられている。
１６は容器本体の被係合部であり、容器本体１０の上端周縁部に切り欠かれた凹状に設けられている。また、２６は中容器の係合部であり、容器本体の被係合部１６に嵌るように、水平方向外側へ突起した形状に設けられている。さらに、３６は蓋体の係合部であり、容器本体の被係合部１６に嵌るように、水平方向内側へ突起した形状に設けられている。
【００１７】
これによれば、容器本体１０と中容器２０及び蓋体３０との位置関係を最適化でき、中容器２０に入れた飲み薬を容器本体１０内の水と共に適切且つ容易に飲むことができる。
なお、被係合部と係合部の形態はこれに限らず、一方が他方に対して係合或は嵌り合う形態であれば、既知の形態を適宜選択的に利用できるのは勿論である。また、被係合と係合とは相対的な概念であり、両者が逆に設けられてもよいことは勿論である。
【００１８】
次に、第２の形態例について、図３に基づいて詳細に説明する。
１８は接続口であり、容器本体１０の底部等の上面を除く部位に他の貯水容器５０と接続できるように設けられている。これによれば、ペットボトル等の他の貯水容器５０を活用して容易に、水を用いることができる。また、容器本体１０の水を貯留する容積を小さくできるため、その形状をコンパクトにすることができる。従って、飲み薬の投薬用容器を小型化でき、携帯性を向上できる。
【００１９】
本形態例では、図３に示すように、容器本体１０の底部１２に設けられている。そして、さらに本形態例では、接続口１８が、容器本体１０の底部１２であって、中容器の切り欠き部２５と蓋体３０の飲み口３２が位置合わせされる周縁側とは反対側の部位に設けられている。このように、接続口１８を位置させて設けることで、容器をより大きく傾けることなく、水をスムーズに排出できる。これによれば、利用者は、飲み薬をより容易に服用できる。
【００２０】
また、本形態例では、接続口１８が、雌ネジ状に設けられ、ペットボトル等の他の貯水容器５０の雄ネジ状の注ぎ口５１にねじ込むことで、その他の貯水容器と接続されるように設けられている。なお、接続口１８の形態はこれに限定されず、雄雌のネジが反対に設けられる態様や、ネジによる接続ではなくて圧入状態で水密（シール）する形態などでもよい。すなわち、接続の形態は、水をシールしてスムーズに流すことができるものであればよい。
【００２１】
さらに、本形態例では、容器本体１０の内周面の少なくとも中容器２０の切り欠き部２５と蓋体３０の飲み口３２が位置合わせされる周縁側が、その飲み口３２に向かって水が排出され易いように斜面１９に設けられている。このように、容器本体１０の内周面に斜面１９を設けることで、容器をより大きく傾けることなく、水をスムーズに排出できる。これによれば、利用者は、飲み薬をより容易に服用できる。
【００２２】
次に、第３の形態例について、図４に基づいて説明する。
本形態例では、図３の形態例と同様に容器本体１０の内周面の中容器２０の切り欠き部２５と蓋体３０の飲み口３２が位置合わせされる周縁側が、その飲み口３２に向かって水が排出され易いように斜面１９に設けられている。このように、容器本体１０の内周面に斜面１９を設けることで、容器をより大きく傾けることなく、水７０をスムーズに排出でき、図３に示すように飲み薬６０と共に排出できる。従って、利用者は、飲み薬６０をより容易に服用できる。
なお、１７は脚部であり、容器が起立できるように、中容器２０の切り欠き部２５と蓋体３０の飲み口３２が位置合わせされる周縁側に、他の部分と同等の厚さ形状で設けられている。このような脚部１７を有する容器本体１０は、簡単な樹脂成形型によって成形可能である。
【００２３】
次に、第４の形態例について、図５に基づいて説明する。
本形態例では、容器本体１０の内部であって、中容器２０の下側に取り外し自在に嵌められ、蓋体３０の飲み口３２に向かって水が排出され易いように、水が入る容器内周面が斜面状に設けられた斜面状中底容器４０を備える。この斜面状中底容器４０は、テーパ状の内側面を備えており、全体として略逆円錐状の容器に形成されている。
これによっても、容器本体１０の内周面に斜面１９が設けられるため、図３や図４に示すものと同様に容器をより大きく傾けることなく、水をスムーズに排出でき、飲み薬と共に排出できる。
【００２４】
以上、本発明につき好適な形態例を挙げて種々説明してきたが、本発明はこの形態例に限定されるものではなく、発明の精神を逸脱しない範囲内で多くの改変を施し得るのは勿論のことである。
【図面の簡単な説明】
【００２５】
【図１】本発明に係る飲み薬の投薬用容器の第１の形態例を示す斜視図である。
【図２】図１の形態例を説明する断面図である。
【図３】本発明に係る飲み薬の投薬用容器の第２の形態例を示す断面図である。
【図４】本発明に係る飲み薬の投薬用容器の第３の形態例を示す断面図である。
【図５】本発明に係る飲み薬の投薬用容器の第４の形態例を示す断面図である。
【符号の説明】
【００２６】
１０  容器本体
１２  底部
１５  流出口
１６  容器本体の被係合部
１８  接続口
１９  斜面
２０  中容器
２２  凹部
２５  切り欠き部
２６  中容器の係合部
３０  蓋体
３２  飲み口
３６  蓋体の係合部
４０  斜面状中底容器
５０  貯水容器
５１  注ぎ口
６０  飲み薬
７０  水
【図１】
2010022608.tif 000003
【図２】
2010022608.tif 000004
【図３】
2010022608.tif 000005
【図４】
2010022608.tif 000006
【図５】
2010022608.tif 000007